(57)【特許請求の範囲】
【請求項１】
外周に等間隔を存して複数の刃部を備えた円板状のカッター部と該刃部の刃底円より小径であってカッターの厚みより若干厚いカラー部とが回転軸に対して交互に取り付けられた１対のカッターユニットを、両カッターユニットのカッター部が交互に位置するように噛合し、且つ一方のカッター部の刃先円と他方のカラー部との間にほぽ隙間が生じないように取り付け、両カッターユニットの回転軸を相互に逆方向に回転させることにより両カッターユニットの間に投入された被切断物を各々の刃部で把持し切断して両カッターユニットの間から排出する切断処理装置において、上記被切断物の払い出し側から各カッターユニットのカッター部相互間に挿入され、該カッター部相互間に位置するカラー部と該カラー部に対向する他方のカッターユニットのカッター部の刃先円とにほぼ隙間なく近接し、該カラー部と刃先円との間に略閉鎖された空間を形成する固定治具を設けたことを特徴とする切断処理装置。
【請求項２】
上記固定治具は、カッター部の刃先円に沿って刃部の移動方向に延設された弧状部を有し、且つ該弧状部の長さを刃部の相互間隔より長くしたことを特徴とする請求項１記載の切断処理装置。
【発明の詳細な説明】
【発明の属する技術分野】
【０００１】
本発明は、各種工場で生じる被切断物である金属屑等を切断処理する切断処理装置に関する。
【０００２】
【従来の技術】
上記従来の切断処理装置として、例えば実公平５−４３８６１号公報により、外周に等間隔を存して複数の刃部を備えた円板状のカッター部と該刃部の刃底円より小径であってカッターの厚みより若干厚いカラー部とが回転軸に対して交互に取り付けられた１対のカッターユニットを、両カッターユニットのカッター部が交互に位置するように噛合し、且つ一方のカッター部の刃先円と他方のカラー部との間に隙間が生じないように取り付け、両カッターユニットの回転軸を相互に逆方向に回転させることにより両カッターユニットの間に投入された被切断物を各々の刃部で把持し切断して両カッターユニットの間から排出する切断処理装置が知られている。
【０００３】
【発明が解決しようとする課題】
上記従来の切断処理装置では、例えば細長い金属屑が回転軸に対して略平行な姿勢で両カッターユニットの間に投入されると、該金属屑は両カッターユニットの刃部によって剪断され、カッター部の板厚程度の長さに切断されて排出される。ところが、細長い金属屑が両回転軸に直角な姿勢で端部から刃部に把持されると刃部の先端とカラー部との間に挟まって細かく切断されることなく排出されてしまうという不具合が生じる。
【０００４】
尚、実公平５−３２１９４号公報に記載されているように、２対のカッターユニットを上下に配置することにより１段目のカッターユニットで細かく切断されなかった被切断物を２段目のカッターユニットで再度切断することも考えられるが、このように更に１対のカッターユニットを設けると部品点数が大幅に増加してコストが高くなるばかりか切断処理装置が大型化する。
【０００５】
そこで本発明は、上記の問題点に鑑み、カッターユニットを更に追加することなく被切断物を細かく切断して排出することのできる切断処理装置を提供することを課題とする。
【０００６】
【課題を解決するための手段】
上記課題を解決するために本発明は、外周に等間隔を存して複数の刃部を備えた円板状のカッター部と該刃部の刃底円より小径であってカッターの厚みより若干厚いカラー部とが回転軸に対して交互に取り付けられた１対のカッターユニットを、両カッターユニットのカッター部が交互に位置するように噛合し、且つ一方のカッター部の刃先円と他方のカラー部との間にほぼ隙間が生じないように取り付け、両カッターユニットの回転軸を相互に逆方向に回転させることにより両カッターユニットの間に投入された被切断物を各々の刃部で把持し切断して両カッターユニットの間から排出する切断処理装置において、上記被切断物の払い出し側から各カッターユニットのカッター部相互間に挿入され、該カッター部相互間に位置するカラー部と該カラー部に対向する他方のカッターユニットのカッター部の刃先円とにほぼ隙間なく近接し、該カラー部と刃先円との間に略閉鎖された空間を形成する固定治具を設けたことを特徴とする。ここで上記表現の「１対のカッターユニットを、・・・一方のカッター部の刃先円と他方のカラー部との間にほぼ隙間が生じないように取り付け」のうち「ほぼ」とは、完全に隙間のない場合は勿論のこと、一方のカッター部の刃先円と他方のカラー部との間に多少の隙間があってもよいことを意味している。この隙間はカッター部の刃先の摩耗によって生じる場合もあるし、意識的に隙間を形成する場合もある。要は、一方のカッター部の刃先と他方のカラー部とで被切断物を押し切り或いは引き切りできるようになっていればよい。しかし、理想的には、一方のカッター部の刃先円と他方のカラー部との間に隙間がないことが好ましい。また、ここで上記表現の「該カッター部相互間に位置するカラー部と該カラー部に対向する他方のカッターユニットのカッター部の刃先円とにほぼ隙間なく近接し」のうち「ほぼ」とは完全に隙間がない場合は勿論のこと、固定治具がカラー部及びカッター部の刃先に多少の隙間を持って近接していてもよいことを意味している。特に固定治具とカッター部の刃先との隙間は、カッター部の刃先の摩耗によって生じる場合もあるし、意識的に隙間を形成する場合もある。しかし、理想的には、固定治具がカラー部及びカッター部の刃先一方のカッター部の刃先円と他方のカラー部との間に隙間がないことが好ましい。
【０００７】
両カッターユニットによって細かく切断されずに排出される被切断物は一方のカッターユニットの刃部の先端と他方のカッターユニットのカラー部との間に挟まって剪断力が作用しないまま排出される。ところが、固定治具がカラー部に隙間なく近接しているので細かく切断されなかった被切断物は固定治具に阻まれて真っ直ぐ排出されず、上記空間内に滞留する。被切断物は引き続き空間内へと押し込まれるため、空間内の被切断物はカラー部に対向するカッター部側へ移動する。カッター部の刃部は絶えず該空間に臨みながら移動しているので被切断物は刃先円内に少しでも進入すると次に移動してきた刃部によって引っかけられ空間から引きずり出されようとする。固定治具は刃先円に隙間なく近接しているので刃部に引っかけられ空間から引きずり出される際に刃先と固定治具との間に被切断物が挟まれ剪断力が作用し切断される。
【０００８】
尚、刃部と刃部との間では固定治具とカッター部との間に大きな隙間が生じ、被切断物が切断されることなく該隙間を通ってこぼれ出ることが考えられる。その場合には、上記固定治具に、カッター部の刃先円に沿って刃部の移動方向に延設された弧状部を形成し、且つ該弧状部の長さを刃部の相互間隔より長くすることにより、刃部と刃部との間の隙間が弧状部で閉塞され、被切断物がこぼれ出ることが防止される。
【０００９】
【発明の実施の形態】
図１を参照して、１は本発明に係る切断処理装置である。該切断処理装置１内には相互に平行に配置された１対の回転軸２ａ・２ｂが回転自在に軸支されている。一方の回転軸２ａの図における右端部にはＶプーリーが取り付けられており、図外の駆動モーターに対してＶベルト２２を介して連結されている。一方、両回転軸２ａ・２ｂの図における左端は図示しない１対のギヤによって相互に連結されている。従って、駆動モーターによって一方の回転軸２ａを回転させると１対のギヤを介して回転力が他方の回転軸２ｂに伝達され、他方の回転軸２ｂは一方の回転軸２ａに同期し逆方向に回転する。各回転軸２ａ・２ｂには複数のカッターブロック３が回転軸２ａ・２ｂと共に回転するように取り付けられている。各カッターブロック３は４枚のカッター板部４とカッター板部４に挟まれカッター板部４の板厚より若干幅広の３カ所のカラー部３０ａと、カラー部３０ａの半分の厚みのカラー部３０ｂとが一体に形成された形状をしている。各カッター板部４の外周には１６個の刃部が形成されており、図２に示すように刃部の刃先４１は回転軸線に平行な方向に対して２０度傾けて形成されている。また、すくい面４２は弧状に形成されている。そして更に４枚の刃部は順に２．５度ずつ位相がずれるように形成されており、図１に示すように刃先４１は回転軸線に対して螺旋状に配列されるように設定されている。尚、回転軸２ａに取り付けられているカッターユニット３と回転軸２ｂに取り付けられているカッターユニット３とでは左右が反転されており、何れのカッターユニット３も回転軸２ａ・２ｂが回転するとすくい面４２が回転方向に向くように設定した。尚、回転軸２ａもしくは回転軸２ｂとカッターブロック３とでカッターユニットが構成される。
【００１０】
図３及び図４を参照して、本発明では左右のカッターユニットの下方に固定治具５を設置した。該固定治具５は１対の治具ブロック５ａ・５ｂをカッターユニットに沿って並設し治具プレート５ｃを介して相互に締結することにより構成されている。治具ブロック５ａ・５ｂには刃先４１の軌跡が描く刃先円に対応する弧状部５２とカラー部３０ａ・３０ｂに対応する角部５１とが交互に設けられている。尚、角部５１には平坦部５３が連なり、平坦部５３の先端縁が他方の弧状部５２の上端縁５２ａに一致するようにした。そして、角部５１がカラー部３０ａ・３０ｂに隙間なく近接し、且つ弧状部５２が刃部の刃先円に隙間なく近接するように固定治具５を取り付けた。
【００１１】
すると、図４に示すように、一方のカッターユニットの刃先円と他方のカッターユニットのカラー部３０ａ・３０ｂと固定治具５の平坦部５３とで囲まれる略三角形の空間６が形成される。被切断物は本図に於いて上方から供給され両カッターユニットのカッター板部４相互間で剪断され空間６に排出される。尚、刃先４１とカラー部３０ａ・３０ｂとの間に挟まり細かく切断されなかった被切断物も同じく空間６内に排出される。空間６内に排出された被切断物は空間６がカラー部３０ａ・３０ｂと平坦部５３とで閉鎖されているのでカッター板部４に向かって押し出される。すると被切断物は刃先４１と弧状部５２の上端縁５２ａとで挟まれ切断される。尚、弧状部２の長さは刃部の間隔より長く設定し、空間６内の被切断物が刃先４１と上端縁５２ａとで切断される前に弧状部５２を滑ってこぼれ出ないようにした。
【００１２】
【発明の効果】
本発明の代表的なものの効果を説明すれば、外周に等間隔を存して複数の刃部を備えた円板状のカッター部と該刃部の刃底円より小径であってカッターの厚みより若干厚いカラー部とが回転軸に対して交互に取り付けられた１対のカッターユニットを、両カッターユニットのカッター部が交互に位置するように噛合し、且つ一方のカッター部の刃先円と他方のカラー部との間にほぽ隙間が生じないように取り付け、両カッターユニットの回転軸を相互に逆方向に回転させることにより両カッターユニットの間に投入された被切断物を各々の刃部で把持し切断して両カッターユニットの間から排出する切断処理装置において、上記被切断物の払い出し側から各カッターユニットのカッター部相互間に挿入され、該カッター部相互間に位置するカラー部と該カラー部に対向する他方のカッターユニットのカッター部の刃先円とにほぼ隙間なく近接し、該カラー部と刃先円との間に略閉鎖された空間を形成する固定治具を設けたので、カッターユニットを更に追加することなく被切断物を細かく切断して排出することができる。
【図面の簡単な説明】
【図１】本発明の一実施の形態の構成を示す平面図
【図２】刃部の詳細を示す部分斜視図
【図３】カッターユニットと固定治具との形状を示す斜視図
【図４】カッターユニットと固定治具との位置関係を示す図
【符号の説明】
１  切断処理装置
４  カッター板部
３０ａ  カラー部
３０ｂ  カラー部
５  固定治具
【図１】
0004512226.tif 000002
【図２】
0004512226.tif 000003
【図３】
0004512226.tif 000004
【図４】
0004512226.tif 000005